(57)【要約】【課題】  ネット地からなるかつらベースを切断して、サイズを調整する場合に、ほつれが生じることを防止する。【解決手段】  ネット地からなるかつらベースの周縁部から中心部に向かって、かつらベースを周回するように細線状又は帯状に形成された複数列の仕切り部及び仕切り部間の領域からなるサイズ調整部を備える。【選択図】    図１
2015040349.tif 000002
【特許請求の範囲】
【請求項１】
ネット地からなるかつらベースであって、前記かつらベースの周縁部から中心部に向かって、前記かつらベースを周回するように細線状又は帯状に形成された複数列の仕切り部及び前記仕切り部間の領域からなるサイズ調整部を備えたことを特徴とするかつらベース。
【請求項２】
前記サイズ調整部が、前記かつらベースの周縁部のみに設けられたことを特徴とする請求項１記載のかつらベース。
【請求項３】
前記サイズ調整部が、前記かつらベースの周縁部から中心部までの全体に設けられたことを特徴とする請求項１記載のかつらベース。
【請求項４】
前記サイズ調整部が、周方向の一部又は全部に設けられたことを特徴とする請求項１〜３のいずれかに記載のかつらベース。
【請求項５】
請求項１〜４のいずれかに記載のかつらベースが、全頭用又は部分用であることを特徴とするかつらベース。
【請求項６】
前記複数列の仕切り部が、合成樹脂をコーティング、熱融着、超音波融着することにより、又は糸を編み込むことにより形成されたことを特徴とする請求項１〜５のいずれかに記載のかつらベース。
【請求項７】
前記サイズ調整部における前記仕切り部及び前記仕切り部間の領域を含む前記ネット地全体に、植毛が行われることを特徴とする請求項１〜６のいずれかに記載のかつらベース。
【請求項８】
前記かつらベースをサイズ調整のために切断する場合、前記複数列の仕切り部のうち、少なくとも最も中心部側に形成された仕切り部を分断することなく前記サイズ調整部が切断され、切断した部位からのほつれが、分断されていない前記仕切り部により防止されることを特徴とする請求項１〜７のいずれかに記載のかつらベース。
【請求項９】
ネット地からなるかつらベースの製造方法であって、
前記かつらベースの周縁部から中心部に向かって、前記かつらベースを周回するように細線状又は帯状の複数列の仕切り部を形成し、前記仕切り部及び前記仕切り部間の領域からなるサイズ調整部を前記かつらベースに設けることを特徴とするかつらベースの製造方法。
【発明の詳細な説明】
【技術分野】
【０００１】
本発明は、ネット地からなるかつらベースに関し、特にネット地のほつれを防止することが可能なかつらベース及びその製造方法に関する。
【背景技術】
【０００２】
一般に、かつらは、地毛の生え際から頭部の表面を覆うように形成されたかつらベースの外面に、人毛や人工毛を植毛することにより製造される。このようなかつらベースには、種々のタイプのものがあり、特にフィラメントを網目状に編み込んだネット地からなるかつらベースは、軽量で柔らかく、通気性に優れるという利点を有している。
【０００３】
かつらベースを製造する際には、着用者の頭のサイズやアールを測定し、各着用者にあった形状のものを作製する。すなわち、ヒトの頭部の形状は、個人毎に異なっているところ、着用者の頭部形状及び生え際の位置を計測し、この計測データにもとづきかつらベースを製造すれば、着用者毎に最適なかつらベースを得ることが可能となる。
【０００４】
頭部形状及び生え際の位置の計測方法としては、例えばメジャーを用いて手作業で計測する方法、軟化させた樹脂シートを頭部に押し当てて固化させる方法、あるいは三次元形状計測装置を用いて計測する方法等がある。そして、得られた計測データにもとづきネット地を裁断して、かつらベースが製造される。
【０００５】
このような頭部形状等の計測は、着用者の頭部をしっかりと固定して行わなければ、実際のサイズと誤差が生じてしまうため、熟練を要する作業である。
また、かつらベースは、計測データにもとづき作成された頭形モールド（型）をもとにして作製されるが、立体的裁断や縫製作業などが生じる。
【０００６】
このため、以上のように計測データにもとづきかつらベースを製造しても、頭部形状等の測定に誤差が生じたり、あるいはネット地の裁断、又は縫製作業において誤差が生じたりすると、着用者に適切に適合しないかつらベースが出来上がってしまう場合がある。
このような場合において、ネット地からなるかつらベースは、サイズの誤差を調整するためにカット（裁断、切断）すると、そのカットした部分からネット地が次第にほつれてしまうという問題があった。
【０００７】
ここで、従来のかつらベースには、その周縁部や切断が生じやすい部分に、ほつれを防止するための処置が施されているものがある（例えば、特許文献１，２参照）。
しかしながら、このような従来のかつらベースにおけるほつれを防止するための処置は、カツラベースの劣化によるほつれ防止や、補強、装着性等を目的として施されるものであり、かつらベースの大きさをカットにより調整することを予定したものではなかった。
【０００８】
したがって、かつらベースのサイズ調整のために、このようなほつれを防止するための処置が施された部分を切断すると、ほつれが生じてしまうという問題があった。
このため、かつらベースが着用者に適切に適合しない場合には、かつらベースを製造し直すなどの処置が必要となっていた。
【０００９】
また、従来から提案されているサイズを調整可能なかつらベースとして、特許文献３に記載のサイズ調節用の伸縮性のテープや、特許文献４に記載のアジャスタなどのサイズ調節手段を備えたものを挙げることができる。
しかしながら、このようなサイズ調節手段をかつらベースに備えると、かつらベースの重量や厚みが増加するため、軽量で柔らかいことを利点とするネット地からなるかつらベースにこれらを適用することは、望ましくなかった。
【００１０】
一方、特許文献５には、かつらベースをカットすることで、サイズを調整する技術が記載されている。すなわち、この技術では、かつらベースの額周りからもみあげにかけての生え際に調整代部を形成して、着用者に合う形状にカットできるようにされている。
【先行技術文献】
【特許文献】
【００１１】
【特許文献１】特開２００１−３２９４２１号公報
【特許文献２】特開２００８−１６９５４０号公報
【特許文献３】実公平５−３２４９１号公報
【特許文献４】特開２０１１−１２７２２８号公報
【特許文献５】特開２０１１−１５７６３６号公報
【特許文献６】特開昭５７−２０５５１０号公報
【特許文献７】特許第３９０９５０３号公報
【発明の概要】
【発明が解決しようとする課題】
【００１２】
しかしながら、特許文献５に記載の調整代部は、カットが予定されていることから幅広に形成されている。このため、かつらベースの通気性が損なわれると共に、かつらベースが硬くなるという問題があった。
【００１３】
そこで、本発明者らは鋭意研究し、ネット地からなるかつらベースの周縁部から中心部に向かって、かつらベースを周回するように複数列に形成された仕切り部及び仕切り部間の領域からなるサイズ調整部を設けることにより、サイズの誤差を調整するためにカットした場合に、ネットのほつれを防止できることを見いだした。
また、サイズ調整のために幅広の調整代部ではなく、このように複数列の仕切り部及び仕切り部間の領域からなるサイズ調整部を設けることで、かつらベースの重量の増加や、通気性の低下、及び硬くなることを抑止することもできる。
【００１４】
ここで、かつらベースの周縁部に複数例ではないものの、複数の仕切り部を設ける技術が、特許文献６及び７に開示されている。
すなわち、特許文献６に記載の発明では、かつらベースの周縁部に、複数の溶着線が形成されている。
しかしながら、外周に沿って一つの溶着線が形成され、この溶着線と交差するように複数の溶着線が形成され、これらの溶着線部分を固着させることで、かつらベースを一体構造とし、しわやふくれた部分を生じにくくするものである。
したがって、サイズ調整のために外周に沿った溶着線が切断されると、ほつれが生じてしまう。
【００１５】
また、特許文献７に記載の発明では、かつら固定用シートの周縁部にウレタン樹脂層が２列形成されている。しかしながら、この発明は、かつらを適切に固定することを目的になされたものであり、両方のウレタン樹脂層に複数のスリットが設けられ、それぞれのスリットから地毛を引き出して重ね合わせることにより、この目的を達成している。すなわち、これら２列のウレタン樹脂層は、サイズ調整部としては機能せず、周縁部のウレタン樹脂層が切断されると、かつらを適切に固定するという目的を達成することができない。
【００１６】
本発明は、上記の事情にかんがみなされたものであり、ネット地からなるかつらベースのサイズを調整するために切断を行う場合に、ネットのほつれを防止可能なかつらベースの提供を目的とする。
【課題を解決するための手段】
【００１７】
この目的を達成するため、本発明のかつらベースは、ネット地からなるかつらベースであって、かつらベースの周縁部から中心部に向かって、かつらベースを周回するように細線状又は帯状に形成された複数列の仕切り部及び仕切り部間の領域からなるサイズ調整部を備えている。
また、本発明のかつらベースの製造方法は、ネット地からなるかつらベースの製造方法であって、かつらベースの周縁部から中心部に向かって、かつらベースを周回するように細線状又は帯状の複数列の仕切り部を形成し、仕切り部及び仕切り部間の領域からなるサイズ調整部をかつらベースに設ける方法としてある。
【発明の効果】
【００１８】
本発明のかつらベースによれば、サイズを調整するために切断を行う場合に、ネットのほつれを防止することが可能となる。
【図面の簡単な説明】
【００１９】
【図１】本発明の第一実施形態に係るかつらベースの平面図と左側面図を示す図である。
【図２】従来のかつらベースの周縁部と、本発明の第一実施形態に係るかつらベースのサイズ調整部を示す図である。
【図３】本発明の第二実施形態に係るかつらベースの平面図と左側面図を示す図である。
【図４】本発明の第三実施形態に係るかつらベースの平面図と左側面図を示す図である。
【図５】本発明の第四実施形態に係るかつらベースの平面図と左側面図を示す図である。
【図６】本発明の第五実施形態に係るかつらベースの平面図と左側面図を示す図である。
【図７】本発明の第六実施形態に係るかつらベースの平面図と左側面図を示す図である。
【図８】本発明の第七実施形態に係るかつらベースの平面図と左側面図を示す図である。
【図９】本発明の第八実施形態に係るかつらベースの平面図と左側面図を示す図である。
【発明を実施するための形態】
【００２０】
以下、本発明に係るかつらベースの好ましい実施形態について、図面を参照して説明する。
【００２１】
［第一実施形態］
まず、本発明のかつらベースの第一実施形態について、図１及び図２を参照して説明する。
図１は、本実施形態に係るかつらベースの平面図と左側面図を示す図である。図２は、従来のかつらベースの周縁部と、本実施形態に係るかつらベースのサイズ調整部を示す図である。
【００２２】
本実施形態のかつらベース１０は、全頭用のものであり、ネット地２０からなり、周縁部から中心部に向かってかつらベースを周回するように帯状に形成された複数列の仕切り部を備え、この複数列の仕切り部とその間の領域からなる部分が、サイズ調整部３０を形成している。すなわち、サイズ調整部３０は、仕切り部とその間のネット地２０から構成されている。また、かつらベース１０を装着したときに、顔の正面方向に位置するかつらベース１０の前方部分に、額生え際部４０が備えられている。
【００２３】
ネット地２０は、フィラメントを網目状に編み込んで構成した網地からなる部材である。ネット地２０には、レース地、及びメッシュ地なども含まれる。図１において、ネット地２０は、かつらベース１０における額生え際部４０以外の部分を構成している。
【００２４】
フィラメントの交点に対して溶着などのほつれ防止加工を施したネット地も存在する。このようなネット地は、切断してもほつれにくいものの、ほつれる可能性はあるため、ネット地２０は、このようなネット地を除外するものではない。
なお、ポリウレタンシートなどの樹脂製のシート部材は、切断してもほつれない部材であり、ネット地２０とは異なっている。
【００２５】
サイズ調整部３０は、製造されたかつらベース１０が、着用者に適切に適合しない場合に、カットすることで、かつらベース１０のサイズを調整するための部分である。
例えば、製造されたかつらベース１０を着用者に装着した場合、かつらベース１０の生え際に対応する位置が、着用者の生え際とわずかにずれている場合がある。このような場合、サイズ調整部３０を生え際に合わせてカットすることで、かつらベース１０の生え際に対応する位置を、かつらベース１０のほつれを防止しつつ適切に調整することが可能となる。
【００２６】
なお、本実施形態のかつらベース１０は、サイズ調整部３０をカットすることによって、サイズを調整できる場合を対象としたものである。したがって、例えばかつらベース１０の生え際に対応する位置が、着用者の生え際よりも上方にある場合など、サイズ調整部３０をカットすることによって、サイズを調整できない場合は、本実施形態の対象外である。
【００２７】
サイズ調整部３０は、図１に示すように、かつらベースを周回するように帯状に形成された複数列の仕切り部とその間の領域であるネット地２０とからなっている。
この仕切り部は、ポリウレタンなどの合成樹脂材料をネット地２０にコーティング（塗布）して、乾燥固化することにより形成することができる。
また、帯状のポリウレタンを、ネット地２０に貼付して加熱することにより熱融着させて、仕切り部を形成することもできる。
【００２８】
さらに、超音波融着機を用いて、ネット地２０を超音波融着させることにより仕切り部を形成することもできる。このとき、超音波融着機からネット地２０における所定位置に、超音波振動と圧力が加えられ、ネット地２０における当該部分が溶融して溶着し、仕切り部が形成される。このような超音波融着機によるほつれ防止加工では、ネット地２０を表裏両面から挟み込んで、ネットの交差部分（＝ネットの編成部分）を固着できる。
【００２９】
また、かつらベースを周回するように、糸を帯状に編み込むことによって、仕切り部を形成することもできる。このときの糸の編み方は特に限定されず、ネット地２０のほつれ及びその拡散を防止できる方法で有れば良い。
【００３０】
また、サイズ調整部３０における仕切り部は、かつらベース１０の周縁部から中心部に向かって、かつらベースを周回するように複数列に形成される。この仕切り部の幅は、適宜決定することができるが、かつらベース１０の軽量化、通気性の向上、及び柔軟性の向上の観点から、比較的狭めに設定することが望ましい。
したがって、サイズ調整部３０における仕切り部を帯状に形成する場合、その幅は、例えば０．５〜３ｍｍとすることが好ましく、０．５〜２ｍｍとすることがより好ましい。
【００３１】
また、サイズ調整部３０における仕切り部の列数は、複数であれば、特に限定されないが、かつらベースのサイズ調整に必要な幅を考慮して、サイズ調整部３０が適切な幅になるように、適宜に選択すればよく、例えば３〜５列、あるいは３〜１０列程度とすることができる。
【００３２】
また、サイズ調整部３０における仕切り部間の幅は、かつらベース１０の軽量化、通気性の向上、及び柔軟性の向上の観点からは広い方が良く、ほつれ防止の観点からは狭い方が良い。
したがって、これらを考慮して、本実施形態のかつらベース１０のサイズ調整部３０における帯状の仕切り部間の幅は、例えば１〜５ｍｍとすることが好ましく、１〜３ｍｍとすることがより好ましい。
【００３３】
サイズ調整部３０は、図示しないが、かつらベース１０の周方向の全部のみならず、一部のみに設けることもできる。これは、以下の実施形態においても同様である。すなわち、本実施形態のかつらベース１０の場合、周縁部の一部のみにサイズ調整部３０を設けることもできる。
【００３４】
本実施形態のかつらベース１０において、サイズ調整部３０における仕切り部と仕切り部間の領域を含むネット地２０、及び額生え際部４０のいずれにも、植毛を行うことができる。
【００３５】
額生え際部４０は、ポリウレタンシートなどの樹脂製のシート部材から構成され、いわゆる人工皮膚からなる部分である。本実施形態では、比較的目立つ頭部領域である額の生え際部分に対応する額生え際部４０にのみ人工皮膚を用い、その他の頭部領域に対応する部分にはネット地２０を用いることで、優れた外観と着け心地の良さを両立して実現している。
【００３６】
次に、図２を参照して、従来のかつらベースと本実施形態のかつらベース１０に対してサイズ調整を行った場合の相違について説明する。
まず、従来のネットからなるかつらベースでは、周縁部３００が本実施形態における仕切り部に相当するが、この仕切り部は１列しか形成されていない。このため、周縁部３００をカットしてサイズを調整し、この周縁部３００が分断されてしまうと、ネット地２００にほつれが生じることになる。
【００３７】
これに対して、本実施形態のネットからなるかつらベース１０では、仕切り部が複数列に形成され、仕切り部間が比較的狭くなっている。このため、少なくとも最も中心部側に形成された仕切り部を分断することなく、サイズ調整部３０を切断してサイズを調整すると、切断した部位からのほつれはほとんど生じない。また、分断されていない仕切り部によりほつれの発生及びその拡散が防止される。
また、本実施形態のかつらベース１０によれば、仕切り部が複数列に形成されているため、同じ幅のサイズ調整部が一列の仕切り部で形成される場合に比較して、カットが行いやすくなっている。
これらの効果は、以下の実施形態のかつらベースでも同様に得ることができる。
【００３８】
ここで、従来のかつらベースにおいて、周縁部３００の幅を広くすることにより、サイズ調整にあたって、周縁部３００が分断される可能性を低減させることも考えられる。
しかしながら、このように周縁部３００の幅を厚くすると、かつらベースの重量が増加し、柔軟性及び通気性が損なわれるため、ネットからなるかつらベースには適さない。
【００３９】
これに対して、本実施形態のかつらベース１０では、サイズ調整部３０が複数列の仕切り部からなっているため、サイズ調整部３０の幅を広くしても、周縁部３００の幅を広くする場合に比較して、かつらベース１０の重量増加を大きく抑制でき、柔軟性及び通気性の低下も抑制することが可能になっている。
【００４０】
本実施形態のかつらベース１０は、上記の通り、かつらベースの周縁部から中心部に向かって、かつらベースを周回するように複数列の仕切り部を形成し、これらの仕切り部及び仕切り部間の領域からなるサイズ調整部をかつらベースに設けることにより製造することができる。これは、以下の実施形態においても同様である。
【００４１】
このように本実施形態のかつらベース１０によれば、軽量性、柔軟性及び通気性を損なうことなく、かつらベース１０を切断することによってサイズ調整を行った場合に、ほつれが生じることを防止することが可能となっている。
【００４２】
［第二実施形態］
次に、本発明のかつらベースの第二実施形態について、図３を参照して説明する。
本実施形態のかつらベース１１は、図３に示すように、第一実施形態における額生え際部４０を備えておらず、かつらベース１１の全周の周縁部から中心部に向かって、複数列の仕切り部が形成されている。その他の点については、第一実施形態と同様である。
【００４３】
すなわち、本実施形態のかつらベース１１は、額の生え際に対応する領域を含めて、サイズ調整部３０が形成されている。したがって、かつらベース１０における額の生え際に対応する部分にサイズの誤差が生じた場合でも、サイズ調整部３０をカットすることで、着用者の額の生え際に適合するようにかつらベース１１のサイズを調整することが可能になっている。
具体的には、かつらベース１０における額の生え際に対応する部分の位置が、額の生え際よりもやや下側にある場合に、サイズ調整部３０をカットすることによって、その位置を生え際に揃えることができる。
【００４４】
このように本実施形態のかつらベース１１によれば、軽量性、柔軟性及び通気性を損なうことなく、ほつれの発生及びその拡散を防止しつつ、かつらベース１１の全周におけるサイズの誤差を調整することが可能となっている。
【００４５】
［第三実施形態］
次に、本発明のかつらベースの第三実施形態について、図４を参照して説明する。
本実施形態のかつらベース１２は、図４に示すように、第一実施形態における額生え際部４０を備えておらず、かつ、かつらベース１２の全周の周縁部から中心部に向かって、かつらベース１２の全体に、複数列の仕切り部が形成されている。その他の点については、第一実施形態と同様である。
【００４６】
すなわち、本実施形態のかつらベース１２は、全体にサイズ調整部３２が形成されている。したがって、単にサイズの誤差を調整できるのみならず、かつらベース１２のサイズ及び形状を大きく変更することもできる。
具体的には、着用者毎に頭部形状及び生え際の位置を個別に計測して計測データを取得し、この計測データにもとづきかつらベースを製造するのではなく、予め例えばＳ，Ｍ，Ｌといった規定のサイズのかつらベース１２を製造しておくことができる。
そして、着用者の頭部形状に適合するかつらベース１２を選択し、サイズ調整部３２を切断することによって、生え際の位置を適合させるようにすることが可能となる。
【００４７】
本実施形態のかつらベース１２によれば、軽量性、柔軟性及び通気性を損なうことなく、ほつれの発生及びその拡散を防止しつつ、かつらベース１２のサイズ及び形状を大きく調整することが可能となっている。
【００４８】
［第四実施形態］
次に、本発明のかつらベースの第四実施形態について、図５を参照して説明する。
本実施形態のかつらベース１３は、図５に示すように、かつらベース１３の周縁部から中心部に向かって、細線状に複数列の仕切り部が形成されている。その他の点については、第一実施形態と同様である。
【００４９】
すなわち、本実施形態のかつらベース１３には、周縁部から中心部に向かって、かつらベースを周回するように細線状の仕切り部が複数列に配置されている。このため、かつらベース１３のサイズを調整するために、サイズ調整部３３をカットする場合、少なくとも最も中心部側の仕切り部が分断されないようにすることで、ほつれの発生及びその拡散を防止することが可能となっている。
また、このように仕切り部を細線状にすれば、帯状のものに比較して、かつらベース１３の軽量性、柔軟性、及び通気性をより向上させることが可能となる。さらに、仕切り部が細線状であれば、サイズの調整にあたって、サイズ調整部３３の切断をより容易に行うこともできる。
【００５０】
かつらベース１３に細線状の仕切り部を形成する方法としては、例えばかつらベース１３の周縁部に沿って、熱溶着糸を複数列に周回させるように縫い込み、このかつらベース１３をオーブンなどによって所定時間加熱して熱溶着糸を硬化し、固定及び定着させる方法がある。
この熱溶着糸の素材としては、例えば低融点ナイロン糸や低融点ポリエステル糸等を用いることができる。
【００５１】
また、かつらベースを周回するように、糸を細線状に編み込むことによって、仕切り部を形成することもできる。このときの糸の編み方は特に限定されず、ネット地２０のほつれ及びその拡散を防止できる方法で有れば良い。
【００５２】
本実施形態のかつらベース１３における仕切り部の幅としては、例えば０．１〜０．５ｍｍとすることが好ましく、０．１〜０．３ｍｍとすることがより好ましい。
【００５３】
本実施形態のかつらベース１３における仕切り部の列数は、複数列であれば良く、特に限定されないが、例えば３〜１０列、あるいは３〜２０列程度とすることができる。本実施形態における仕切り部は、細線状であるため、狭い範囲に多数の仕切り部を設けることが可能であり、また多数の仕切り部を設けても、帯状の仕切り部に比較して、かつらベース１３の重量、柔軟性、及び通気性に与える影響を低減できる。
このように、本実施形態によれば、狭い範囲に多数の仕切り部を設けることで、ほつれの発生をより効果的に防止することが可能となっている。
また、このような観点から、この仕切り部間の幅としては、例えば０．１ｍｍ〜２ｍｍとすることが好ましく、０．１ｍｍ〜１ｍｍとすることがより好ましい。
【００５４】
このように本実施形態のかつらベース１３によれば、軽量性、柔軟性及び通気性に優れ、ほつれの発生及びその拡散を防止しつつ、サイズを調整することが可能となっている。
【００５５】
［第五実施形態］
次に、本発明のかつらベースの第五実施形態について、図６を参照して説明する。
本実施形態のかつらベース１４は、図６に示すように、第四実施形態における額生え際部４３を備えておらず、かつ、かつらベース１４の全周の周縁部から中心部に向かって、かつらベース１４の全体に、細線状に複数列の仕切り部が形成されている。その他の点については、第四実施形態と同様である。
【００５６】
すなわち、本実施形態のかつらベース１４は、全体にサイズ調整部３４が形成されている。したがって、第三実施形態におけるかつらベース１２と同様に、単にサイズの誤差を調整できるのみならず、かつらベースのサイズ及び形状を大きく変更することができる。
また、本実施形態のかつらベース１４では仕切り部が細線状に形成されていることから、サイズ調整部３４がかつらベース１４の全体に形成されているにも拘わらず、非常に軽く、柔軟で通気性に優れたかつらベースを得ることが可能になっている。
【００５７】
なお、図６では、仕切り部間の幅が比較的広くなるように、仕切り部が形成されているが、本実施形態のかつらベース１４において、図５に示す第四実施形態のように、仕切り部間の幅がより狭くなるように仕切り部を形成することも勿論可能である。これは、細線状の仕切り部を備える以下の実施形態についても同様である。
【００５８】
このように本実施形態のかつらベース１４によれば、軽量性、柔軟性及び通気性に優れ、ほつれの発生及びその拡散を防止しつつ、サイズ及び形状を大きく調整することが可能となっている。
【００５９】
［第六実施形態］
次に、本発明のかつらベースの第六実施形態について、図７を参照して説明する。
本実施形態のかつらベース１５は、部分かつら（ウィッグ）用のもので、特に頭頂部に用いるためのものである。
本実施形態のかつらベース１５は、図７に示すように、着用者の頭頂部における毛髪のない領域を覆う大きさと形状を備え、全周の周縁部から中心部に向かって、複数列の仕切り部が形成されている。その他の点については、第一実施形態と同様である。
【００６０】
ただし、本実施形態のかつらベース１５は、頭頂部に使用するための部分かつら用かつらベースであるため、わずか数ミリ程度の誤差がとても重要になる。また、軽量であることと、及びほつれを適切に防止できることが非常に重要である。このため、仕切り部の幅及び仕切り部間の幅を狭くし、サイズを微調整しやすくしておくことが好ましい。
例えば、仕切り部の幅は、０．５〜２ｍｍとすることが好ましく、０．５〜１ｍｍとすることがより好ましい。また、仕切り部間の幅は、０．５〜３ｍｍとすることが好ましく、０．５〜２ｍｍとすることがより好ましい。
【００６１】
このように本実施形態のかつらベース１５によれば、部分かつら用かつらベースについても、軽量性、柔軟性及び通気性を損なうことなく、ほつれの発生及びその拡散を防止しつつ、サイズの誤差を調整することが可能となっている。
【００６２】
［第七実施形態］
次に、本発明のかつらベースの第七実施形態について、図８を参照して説明する。
本実施形態のかつらベース１６は、頭頂部に用いるための部分かつら用のものであるが、図８に示すように、全周の周縁部から中心部に向かって、かつらベース１６の全体に、細線状に複数列の仕切り部が形成されている。その他の点については、第六実施形態と同様である。
【００６３】
すなわち、本実施形態のかつらベース１６は、全体にサイズ調整部３６が形成されているため、かつらベース１６のサイズを調整するために、サイズ調整部３６を切断する場合、少なくとも最も中心部側の仕切り部が分断されないようにすることで、ほつれの発生及びその拡散を防止することができる。
また、仕切り部が細線状であるため、本実施形態のかつらベース１６は、軽量性、柔軟性、及び通気性に、優れたものとなっている。
また、本実施形態のかつらベース１６は、頭頂部に用いるものであるため、わずか数ミリ程度の誤差がとても重要になる。このため、仕切り部の幅及び仕切り部間の幅を狭くして、サイズを微調整しやすくしておくことが好ましい。
【００６４】
一方、本実施形態のかつらベース１６は、全体にサイズ調整部３０が形成されているため、単にサイズの誤差を調整できるのみならず、サイズ及び形状を大きく変更することも可能である。このため、予め例えばＳ，Ｍ，Ｌといった規定のサイズのかつらベース１６を製造しておき、着用者の頭頂部における毛髪のない領域の形状やサイズに合わせてサイズ調整部３６を切断することにより、着用者に適合するかつらベースを得ることも可能である。
【００６５】
このように本実施形態のかつらベース１６は、軽量性、柔軟性及び通気性に優れ、ほつれの発生及びその拡散を防止しつつ、サイズ及び形状を大きく調整することができる頭頂部用の部分かつら用かつらベースとなっている。
【００６６】
［第八実施形態］
次に、本発明のかつらベースの第八実施形態について、図９を参照して説明する。
本実施形態のかつらベース１７は、部分かつら用のもので、特に額の生え際に用いるためのものである。
本実施形態のかつらベース１７は、図９に示すように、着用者の額の生え際を覆う大きさと形状を備え、全周の周縁部から中心部に向かって、細線状に複数列の仕切り部が形成されている。その他の点については、第六実施形態と同様である。
【００６７】
すなわち、本実施形態のかつらベース１７は、額の生え際用のものであり、わずか数ミリ程度の誤差がとても重要になるが、仕切り部が細線状であるため、仕切り部間の幅を狭くしておくことにより、サイズ調整を好適に行え、さらに軽量性、柔軟性、及び通気性に、優れたものとすることができる。
このように本実施形態のかつらベース１７は、軽量性、柔軟性及び通気性に優れ、ほつれの発生及びその拡散を防止しつつ、サイズを調整することができる額の生え際部用の部分かつら用かつらベースとなっている。
【００６８】
以上、本発明のかつらベースの好ましい実施形態について説明したが、本発明のかつらベースは上記実施形態にのみ限定されるものではなく、本発明の範囲で種々の変更実施が可能であることは言うまでもない。
例えば、かつらベースに額生え際部を備え、かつ、かつらベースにおける額生え際部以外の全体に、細線状又は帯状に複数列の仕切り部を形成したり、頭頂部用のかつらベースにおいて、周縁部のみに細線状に複数列の仕切り部を形成したり、あるいは額の生え際部用のかつらベースにおいて、全体に細線状に複数列の仕切り部を形成したりするなど適宜変更することが可能である。
また、上記実施形態では部分かつら用のかつらベースとして、頭頂部用のもの、及び額生え際用のものを示したが、これに限定されず、その他の部分用のかつらベースに適用することも可能である。
【産業上の利用可能性】
【００６９】
本発明は、サイズを調整可能なかつらベースを提供する場合に、好適に利用することが可能である。
【符号の説明】
【００７０】
１０〜１７  かつらベース
２０〜２７  ネット地
３０〜３７  サイズ調整部
４０，４３  額生え際部
３００  周縁部
【図１】
2015040349.tif 000003
【図２】
2015040349.tif 000004
【図３】
2015040349.tif 000005
【図４】
2015040349.tif 000006
【図５】
2015040349.tif 000007
【図６】
2015040349.tif 000008
【図７】
2015040349.tif 000009
【図８】
2015040349.tif 000010
【図９】
2015040349.tif 000011